(57)【要約】【課題】本発明は、極めて商品価値の高い画期的な立設設置体支持装置を提供することを目的とする。【解決手段】雪庇防止体１Ａや看板などの建築物上面部10に立設状態に設置する立設設置体１を転倒防止状態に支持固定する立設設置体支持装置であって、前記立設設置体１に直接若しくは支持部９を介して設けられる接地体２と、この接地体２上に載置される重し体３とから成り、前記接地体２は、前記立設設置体１の後方倒れ荷重を支承するよう前後方向に長さを有し且つ前記立設設置体１の後方に突出する状態で配され前記立設設置体１の左右方向に所定間隔を介して並設される複数の後方突出材４と、この後方突出材４夫々の長さ方向と交差する方向に長さを有する状態で配され前記後方突出材４夫々に連結されて前記後方突出材４同士を一体化する連結材５とを有するものである。【選択図】図１
2009133160.tif 000002
【特許請求の範囲】
【請求項１】
雪庇防止体や看板などの建築物上面部に立設状態に設置する立設設置体を転倒防止状態に支持固定する立設設置体支持装置であって、前記立設設置体に直接若しくは支持部を介して設けられる接地体と、この接地体上に載置される重し体とから成り、前記接地体は、前記立設設置体の後方倒れ荷重を支承するよう前後方向に長さを有し且つ前記立設設置体の後方に突出する状態で配され前記立設設置体の左右方向に所定間隔を介して並設される複数の後方突出材と、この後方突出材夫々の長さ方向と交差する方向に長さを有する状態で配され前記後方突出材夫々に連結されて前記後方突出材同士を一体化する連結材とを有し、前記接地体の前記後方突出材，前記連結材のいずれか一方若しくは双方の上部所定位置にして、前記立設設置体の前方倒れ荷重により前記接地体の後方部位が浮き上がる力に抗するに適した位置に前記重し体が載置される構成であることを特徴とする立設設置体支持装置。
【請求項２】
前記重し体の下方載置部に前記後方突出材，前記連結材のいずれか一方若しくは双方に対して凹凸係合する係合部を設けたことを特徴とする請求項１記載の立設設置体支持装置。
【請求項３】
前記重し体としてコンクリートブロック製の重し体を採用し、この重し体の下方載置部に凹部を設けて前記係合部を設けたことを特徴とする請求項２記載の立設設置体支持装置。
【請求項４】
前記連結材は、全ての前記後方突出材夫々に連結されて前記後方突出材同士を一体化する一本の長尺物であることを特徴とする請求項１〜３のいずれか１項に記載の立設設置体支持装置。
【請求項５】
前記接地体として前記後方突出材を三本以上有する接地体を採用し、前記重し体は、全ての前記後方突出材同士の間に配され該後方突出材に連結される前記連結材夫々に載置される構成であることを特徴とする請求項１〜４のいずれか１項に記載の立設設置体支持装置。
【請求項６】
前記接地体の左右端部のうち少なくとも一方に外方へ移動する移動部を設け、前記接地体を前記建築物上面部の左右位置に配される左右部位同士の間に配設して前記移動部を外方へ移動させた際、前記接地体が前記左右部位に対して押圧架設状態で固定されるように前記移動部を構成したことを特徴とする請求項１〜５のいずれか１項に記載の立設設置体支持装置。
【請求項７】
前記支持部は前記後方突出材に立設状態に設けられ、前記立設設置体の下縁が前記後方突出材から所定高さ位置となる立設状態で前記立設設置体を支持し得るように構成されていることを特徴とする請求項１〜６のいずれか１項に記載の立設設置体支持装置。
【発明の詳細な説明】
【技術分野】
【０００１】
本発明は、建築物上面部に立設状態に設置する立設設置体を転倒防止状態に支持固定する立設設置体支持装置に関するものである。
【背景技術】
【０００２】
雪庇とは、例えば、建築物の屋上端縁に雪が溜まり、この溜まった雪が次第に外側に向かってひさし状に突出したものであり、この雪庇が大きくなると気温上昇等によって地上に落下するおそれがある為、例えば、本発明者の先願に係る実公平１−２６８２２号公報等の雪庇防止装置（以下、従来例）が提案されている。
【０００３】
この従来例は、格子状，樹脂ネット状若しくは網板状の雪庇防止体と、この雪庇防止体を立設状態に支持する支持部を有する接地体（柱が使用されることが多い）とから成る構成が採用され、雪庇防止体は、前記上端縁に溜まった雪の外側への突出を阻止し、且つ、外気によって格子の目やネットの網目等から雪を徐々に溶かすことで雪庇の形成を阻止し、接地体は、この雪庇防止体が付設され、前記上端縁に溜まった雪の外側への突出圧に抗して雪庇防止体の立設状態を維持する。
【０００４】
【特許文献１】実公平１−２６８２２号公報
【発明の開示】
【発明が解決しようとする課題】
【０００５】
ところで、従来例は、設置場所によっては接地体の設置が厄介であるという問題点を抱えている。
【０００６】
即ち、例えば学校の屋上等の建築物上面部では、この屋上面に防水シートが敷設されており、この防水シートに穴を開けることができない為（防水効果が失われる）、接地体の固定が極めて厄介となる。仮に防水に関する補修を行うことを前提、或いは、防水に関係なく既存のコンクリート部分に設置のための穴を開けることとした場合、建築物にダメージを与えてしまうのは避けられず、これを補うには大掛かりな工事となりコスト高にもなる。
【０００７】
その他、設置場所が地面の場合、杭を打っても固定できないような軟弱な地盤であった場合には良好な設置状態を得るのが困難となる。
【０００８】
以上のように、従来例は設置場所が限定されてしまうという問題点がある。
【０００９】
本発明は、上記問題点を解決するもので、所望の設置場所に簡単に接地体を設置して立設設置体を最適な状態で設置することができる実用性，施工性，コスト性に秀れた立設設置体支持装置を提供することを目的としている。
【課題を解決するための手段】
【００１０】
添付図面を参照して本発明の要旨を説明する。
【００１１】
雪庇防止体１Ａや看板などの建築物上面部10に立設状態に設置する立設設置体１を転倒防止状態に支持固定する立設設置体支持装置であって、前記立設設置体１に直接若しくは支持部９を介して設けられる接地体２と、この接地体２上に載置される重し体３とから成り、前記接地体２は、前記立設設置体１の後方倒れ荷重を支承するよう前後方向に長さを有し且つ前記立設設置体１の後方に突出する状態で配され前記立設設置体１の左右方向に所定間隔を介して並設される複数の後方突出材４と、この後方突出材４夫々の長さ方向と交差する方向に長さを有する状態で配され前記後方突出材４夫々に連結されて前記後方突出材４同士を一体化する連結材５とを有し、前記接地体２の前記後方突出材４，前記連結材５のいずれか一方若しくは双方の上部所定位置にして、前記立設設置体１の前方倒れ荷重により前記接地体２の後方部位が浮き上がる力に抗するに適した位置に前記重し体３が載置される構成であることを特徴とする立設設置体支持装置に係るものである。
【００１２】
また、前記重し体３の下方載置部３ａに前記後方突出材４，前記連結材５のいずれか一方若しくは双方に対して凹凸係合する係合部11を設けたことを特徴とする請求項１記載の立設設置体支持装置に係るものである。
【００１３】
また、前記重し体３としてコンクリートブロック製の重し体３を採用し、この重し体３の下方載置部３ａに凹部を設けて前記係合部11を設けたことを特徴とする請求項２記載の立設設置体支持装置に係るものである。
【００１４】
また、前記連結材５は、全ての前記後方突出材４夫々に連結されて前記後方突出材４同士を一体化する一本の長尺物であることを特徴とする請求項１〜３のいずれか１項に記載の立設設置体支持装置に係るものである。
【００１５】
また、前記接地体２として前記後方突出材４を三本以上有する接地体２を採用し、前記重し体３は、全ての前記後方突出材４同士の間に配され該後方突出材４に連結される前記連結材５夫々に載置される構成であることを特徴とする請求項１〜４のいずれか１項に記載の立設設置体支持装置に係るものである。
【００１６】
また、前記接地体２の左右端部のうち少なくとも一方に外方へ移動する移動部７を設け、前記接地体２を前記建築物上面部10の左右位置に配される左右部位10Ａ，10Ｂ同士の間に配設して前記移動部７を外方へ移動させた際、前記接地体２が前記左右部位10Ａ，10Ｂに対して押圧架設状態で固定されるように前記移動部７を構成したことを特徴とする請求項１〜５のいずれか１項に記載の立設設置体支持装置に係るものである。
【００１７】
また、前記支持部９は前記後方突出材４に立設状態に設けられ、前記立設設置体１の下縁が前記後方突出材４から所定高さ位置となる立設状態で前記立設設置体１を支持し得るように構成されていることを特徴とする請求項１〜６のいずれか１項に記載の立設設置体支持装置に係るものである。
【発明の効果】
【００１８】
本発明は上述のように構成したから、前述した従来例と異なり、建築物上面部に対して簡単に且つ堅固に接地体を接地させることができ、ひいては所望の設置場所に立設設置体を良好な状態（転倒しない堅固な支持固定状態）で設置することができる実用性，施工性，コスト性に秀れた立設設置体支持装置となる。
【００１９】
また、請求項２記載の発明においては、確実に重り体の機能を発揮せしめ常に堅固な状態で接地体を接地させることができ、立設設置体が転倒しない堅固な支持固定状態が得られるから、常に立設設置体が良好に機能する状態が得られることになるなど従来にない作用効果を発揮する画期的な立設設置体支持装置となる。
【００２０】
また、請求項３記載の発明においては、簡易構造でありながら確実に重り体の機能を発揮せしめることができるなど従来にない作用効果を発揮する画期的な立設設置体支持装置となる。
【００２１】
また、請求項４記載の発明においては、非常に強度のある接地体が得られ、より一層堅固な接地体の接地状態及び堅固な立設設置体の支持固定状態が得られるなど従来にない作用効果を発揮する画期的な立設設置体支持装置となる。
【００２２】
また、請求項５記載の発明においては、重し体の重みを最大限活かして堅固な接地体の接地状態及び堅固な立設設置体の支持固定状態が得られるなど従来にない作用効果を発揮する画期的な立設設置体支持装置となる。
【００２３】
また、請求項６記載の発明においては、建築物上面部に対して接地体をより一層堅固に接地させることができるなど従来にない作用効果を発揮する画期的な立設設置体支持装置となる。
【００２４】
また、請求項７記載の発明においては、立設設置体の良好な設置状態が得られることになるなど従来にない作用効果を発揮する画期的な立設設置体支持装置となる。
【発明を実施するための最良の形態】
【００２５】
好適と考える本発明の実施形態を、図面に基づいて簡単に説明する。
【００２６】
例えば立設設置体１としての雪庇防止体１Ａを建築物の屋上（コンクリート製の建築物上面部10）に設置することとした場合、建築物上面部10に接地体２を接地させるとともに、雪庇防止体１Ａを屋上の上端縁に配し、この接地体２に重し体３を載置する。尚、雪庇防止体１Ａに対して接地体２が分離自在な構造の場合、建築物上面部10に接地体２を設置した後、この接地体２に雪庇防止体１Ａを装着するようにしても良い。
【００２７】
この状態で、建築物の上端縁に溜まった雪が次第に外側に向かって押し出されてきても、雪庇防止体１Ａが、前記上端縁からの雪の突出、即ち、雪庇の形成を阻止する。
【００２８】
ところで、この立設設置体１としての雪庇防止体１Ａに作用する雪の荷重は、本発明に係る立設設置体支持装置が受けることになるが、この立設設置体支持装置により雪庇防止体１Ａは転倒することなく堅固な支持固定状態が得られる。
【００２９】
具体的には、本発明に係る立設設置体支持装置は、立設設置体１に直接若しくは支持部９を介して設けられる接地体２と、この接地体２上に載置される重し体３とから成り、前記接地体２は、前記立設設置体１の後方倒れ荷重を支承するよう前後方向に長さを有し且つ立設設置体１の後方に突出する状態で配され立設設置体１の左右方向に所定間隔を介して並設される複数の後方突出材４と、この後方突出材４夫々の長さ方向と交差する方向に長さを有する状態で配され後方突出材４夫々に連結されて後方突出材４同士を一体化する連結材５とを有し、接地体２の後方突出材４，連結材５のいずれか一方若しくは双方の上部所定位置にして、立設設置体１の前方倒れ荷重により接地体２の後方部位が浮き上がる力に抗するに適した位置に重し体３が載置される構成である。
【００３０】
この後方突出材４と連結材５を組み合わせてなる接地体２と、この接地体２に載置される重し体３とからなる構成は、極めてシンプルな構造でありながら立設状態とした立設設置体１に対する前後方向の倒れ荷重に対して確実に対抗し得る非常に秀れた対荷重性能（支持固定性能）を具備した構造である。
【００３１】
即ち、立設設置体１の後方倒れ荷重に対しては、立設設置体１の後方に位置する接地体２（後方突出材４と連結材５）における支承作用及び接地体２上に載置される重り体３の重み作用により対応することができ、一方、立設設置体１の前方倒れ荷重に対しては、立設設置体１の後方に位置する接地体２上の最適な位置に載置される重し体３の重み作用により対応することになる。この本発明に係る立設設置体支持装置の前述した前後方向への倒れ荷重に対する秀れた対荷重性能については、本発明者等が実際に行った実験により確認済み。
【００３２】
従って、雪庇防止体１Ａや看板１Ｂなどの立設設置体１を建築物上面部10に簡易に設置することができ、しかも、建築物上面部10に設置した際に心配される、雪の重みや強風などの外圧により生じる前後方向への倒れ荷重が立設設置体１に掛かっても確実に対応して該立設設置体１の転倒は確実に防止されることになる。
【００３３】
また、本発明は、非常にシンプルな構造であり、施工性が良好なのは勿論、製造性及びコスト性にも秀れることになる。
【実施例】
【００３４】
本発明の具体的な一実施例について図面に基づいて説明する。
【００３５】
本実施例は、建築物上面部10に立設状態に設置する立設設置体１を転倒防止状態に支持固定する立設設置体支持装置Ｓであり、立設設置体１に直接若しくは支持部９を介して設けられる接地体２と、この接地体２上に載置される重し体３とから成り、接地体２は、立設設置体１の後方倒れ荷重を支承するよう前後方向に長さを有し且つ立設設置体１の後方に突出する状態で配され立設設置体１の左右方向に所定間隔を介して並設される複数の後方突出材４と、この後方突出材４夫々の長さ方向と交差する方向に長さを有する状態で配され後方突出材４夫々に連結されて後方突出材４同士を一体化する連結材５とを有し、接地体２の後方突出材４，連結材５のいずれか一方若しくは双方の上部所定位置にして、立設設置体１の前方倒れ荷重により接地体２の後方部位が浮き上がる力に抗するに適した位置に重し体３が載置される構成である。
【００３６】
具体的には、本実施例では、立設設置体支持装置Ｓとして、建築物の上端縁やトンネルの開口部上端縁等の降雪によって雪庇が生じる設置場所に設けられる雪庇防止装置の一部としての立設設置体支持装置Ｓを構成しており、この雪庇防止装置は、前記雪庇が生じる設置場所に格子状、ネット状、若しくは網板状の立設設置体１としての雪庇防止体１Ａを立設設置体支持装置Ｓで立設状態に配設する構成である。尚、立設設置体１としては、雪庇防止体１Ａに限らず、建築物上面部10に立設状態に設置するもの、例えば広告を目的とした看板や、照明や、倉庫（小屋）など本実施例の特性を発揮する構成であれば適宜採用し得るものである。
【００３７】
以下、本実施例に係る構成各部について詳細な説明をする。
【００３８】
立設設置体１（雪庇防止体１Ａ）は、図１に図示したように所定巾・所定高さを有する横長の方形状体であり、具体的には、適宜な金属製の棒部材１ａ，１ｂ（Ｌ形鋼から成るアングル材）を上下左右の縦横に配して成る枠材と、この枠材に架設される金属製のネット材１ｃとで構成されている。尚、ネット材１ｃの表面は、素材の選択や皮膜処理（例えばドブメッキ）等により防食作用を発揮するように構成している。
【００３９】
この枠材を構成する縦棒部材１ａは、立設設置体１の巾方向に所定間隔を介して複数配され、この各縦棒部材１ａには、後述する接地体２に設けられる支持部９が連設される。
【００４０】
また、この枠材を構成する縦棒部材１ａと該縦棒部材１ａの上下両端部同士の間に架設される横棒部材１ｂとは、図示省略の止着手段（ボルトとナット）を介して連結されている。
【００４１】
立設設置体支持装置Ｓは、図１に図示したように立設設置体１に直接若しくは支持部９を介して設けられる接地体２と、この接地体２上に載置される重し体３とで構成されている。
【００４２】
接地体２は、図１〜３，５に図示したように立設設置体１の後方倒れ荷重を支承するよう前後方向（立設設置体１の巾方向と交差する方向）に長さを有し、且つ、前記立設設置体１の後方に突出する状態で配され前記立設設置体１の左右方向に所定間隔を介して並設される複数の後方突出材４と、この後方突出材４夫々の長さ方向と交差する方向（立設設置体１の巾方向）に長さを有する状態で配され前記後方突出材４夫々に連結されて前記後方突出材４同士を一体化する連結材５とを有するものである。
【００４３】
具体的には、後方突出材４（Ｌ形鋼から成るアングル材）を複数本（三本以上である五本）を並設し、この全ての後方突出材４の基端部に一本の連結材５（Ｌ形鋼から成るアングル材）が連結され、該連結材５は後方突出材４同士の間に架設状態となる。
【００４４】
また、接地体２は、後方突出材４の先端部同士の間にも一本の連結材５’が架設されている。
【００４５】
尚、連結材５，５’は複数の部材を連結して構成されるものでも良いが、本実施例のように一本ものの長尺物で構成すると接地体２の強度がより一層向上することになる。
【００４６】
この後方突出材４と連結材５，５’とは、アングル材から成る連結部材15及び図示省略の止着手段（ボルトとナット）を介して連結されている。
【００４７】
尚、前述した後方突出材４、連結材５，５’は、Ｌ型アングル材に限らず、コ字型やＨ字型の金属製（鋼製）の棒材でも良いなど本実施例の特性を発揮するものであれば適宜採用し得るものである。
【００４８】
本実施例では、前述した接地体２に支持部９を設けている。
【００４９】
支持部９は、図１〜３に図示したように後方突出材４に立設設置体１を立設状態で支持し得るように構成されている。
【００５０】
具体的には、支持部９はＬ型鋼から成るアングル材を組み合わせて構成され、後方突出材４の先端側上部に立設状態となる長さ（高さ）の異なる複数（二本）の縦材９ａと、この各縦材９ａの先端（上端）同士の間に傾斜状態に架設連結される傾斜材９ｂと、各縦材９ａの基端（下端）寄り所定位置同士の間に水平状態に架設される横材９ｃとで構成されている。
【００５１】
この後方突出材４に対する縦材９ａの連結、縦材９ａに対する傾斜材９ｂの連結及び縦材９ａに対する横材９ｃの連結は、図示省略の止着手段（ボルトとナット）を介して行われる。尚、後方の縦材９ａにおける縦材９ａに対する連結は溶接により行われている。
【００５２】
また、支持部９は、前方の縦材９ａの方が後方の縦材９ａよりも高く設定されており、よって、傾斜材９ｂは前方側程高くなる傾斜状態（立設状態の立設設置体１の面方向に対して鋭角に傾斜状態）に設定されている。
【００５３】
本出願人は、この立設設置体１の背面側に傾斜材９ｂにより立設設置体１を支持する構造とすることで極めて秀れた対荷重性能を発揮することを確認している。
【００５４】
また、支持部９は、傾斜材９ｂの先端部が立設設置体１に係る縦棒部材１ａの裏面上方位置に図示省略の止着手段（ボルトとナット）を介して連結され、横材９ｃの先端部が立設設置体１に係る縦棒部材１ａの裏面下方位置に図示省略の止着手段（ボルトとナット）を介して連結されている。
【００５５】
従って、支持部９は、立設設置体１の下縁が後方突出材４から所定高さ位置となる立設状態で前記立設設置体１を支持し得ることになる。
【００５６】
また、立設設置体１の下方部位にして支持部９に係る横材９ｃにはＬ型アングル材から成る脚体13が設けられており、図２に図示したように立設設置体１を配する部位が平坦部の場合には、長さの長い脚体13が付設され、図３に図示したように立設設置体１を配する部位が段差（フェンスなどの小高い部位）のある場合には、長さの短い脚体13が付設される。
【００５７】
尚、縦材９ａ、傾斜材９ｂ、横材９ｃ及び脚体13は、Ｌ型アングル材に限らず、コ字型やＨ字型の金属製（鋼製）の棒材でも良いなど本実施例の特性を発揮するものであれば適宜採用し得るものである。
【００５８】
また、図５，６に図示したように接地体２の左右端部のうち少なくとも一方には、外方へ移動する移動部７が設けられている。
【００５９】
この移動部７は、接地体２の左右両端部にして前後の連結材５，５’夫々の両端部に外内方向に進退移動する移動体７Ａを設けて構成されており、この移動体７Ａは、連結材５の端部に付設されるベース体14のネジ孔部14ａに螺動自在に設けられており、螺動させてベース体14の端部から進退方向（突没方向）に移動することになる。
【００６０】
この移動部７は、図５に図示したように接地体２を設置場所10（屋上）の左右位置に配される左右部位10Ａ，10Ｂ（左右壁）同士の間に配設して外方へ移動させた際、接地体２が左右部位10Ａ，10Ｂに対して押圧架設状態で固定されるように構成したものである。
【００６１】
重し体３は、図１〜４に図示したようにコンクリート製の板状ブロック（立方体）であり、所定の重量を具備するものである。
【００６２】
また、重し体３の下方載置部３ａには、前記後方突出材４，前記連結材５のいずれか一方若しくは双方に対して凹凸係合する係合部11を設けている。
【００６３】
具体的には、図７，８に図示したように重し体３の下面となる下方載置部３ａに凹溝から成る係合部11を複数（二本）形成しており、重し体３を連結材５（若しくは後方突出材４）に載置する際、この係合部11を連結材５（若しくは後方突出材４）の一方の片に被嵌係止することで重し体３を位置決め状態で連結材５（若しくは後方突出材４）に載置することができる。尚、係止部11を構成する凹溝は、重し体３の型成形時に成形するようにしても良いし、重し体３の成形後、カッターなどで切削形成するようにしても良い。
【００６４】
従って、重し体３は常に連結材５（若しくは後方突出材４）への重み作用を発揮することができ、ひいては常に良好な立設設置体１の支持固定状態が得られることになる。
【００６５】
また、重し体３は、接地体２の後方突出材４，連結材５のいずれか一方若しくは双方の上部所定位置にして、立設設置体１の前方倒れ荷重により接地体２の後方部位が浮き上がる力に抗するに適した位置に載置するものであるが、図５に図示したように重し体３を、全ての後方突出材４同士の間に配され該後方突出材４に連結される連結材５に載置しており、これは良好な立設設置体１の支持固定状態を得る為の設計から選択された位置である。
【００６６】
更に具体的には、重し体３は立設設置体１の左右方向に長さを有する連結材５（接地片５ｂから立ち上がる立ち上がり片５ａ）に係止部11を凹凸係合させることで載置しており、このことから、常に重し体３は立設設置体１から所定距離だけ離れた後方部位に配されることになり、よって、設計時に予定した通りの重し作用が常に得られることになる。
【００６７】
符号16は連結材５と凹凸係合する係合部11以外の係合部11に嵌挿して重し体３を略水平状態となるように安定支持するスペーサーである。
【００６８】
尚、図７に図示したように重し体３に係合部11は設けず、単に接地体２に載置するようにしても良い。
【００６９】
本実施例は上述のように構成したから、例えばこの立設設置体１としての雪庇防止体１Ａを建築物の屋上（コンクリート製の建築物上面部10）の上端縁に配設することとした場合、建築物上面部10に接地体２を配するとともに、雪庇防止体１Ａを屋上の上端縁に配し、この接地体２に重し体３を載置して接地体２を建築物上面部10に固定する。本実施例では、後方突出材４と連結材５との連結部近傍位置に重し体３を載置している。
【００７０】
この状態で、建築物の上端縁に溜まった雪が次第に外側に向かって押し出されてきても、雪庇防止体１Ａが、前記上端縁からの雪の突出、即ち、雪庇の形成を阻止する。
【００７１】
よって、本実施例によれば、後方突出材４と連結材５を組み合わせてなる接地体２と、この接地体２に載置される重し体３とからなる構成は、極めてシンプルな構造でありながら立設状態とした雪庇防止体１Ａに対する前後方向の倒れ荷重（雪の重みや風雨による圧力）に確実に対応する非常に秀れた対荷重性能を具備し、この立設状態として雪庇防止体１Ａを堅固に支持固定し得ることになる。
【００７２】
また、本実施例は、前述した構成から、接地体２の設置が、前述した従来例と異なり、建築物上面部10に穴を開けたり、杭を打ったりする必要がないから、所望の設置場所に簡単に接地体２を設置して雪庇防止体１Ａを最適な状態で確実に設置することができることになる。
【００７３】
また、本実施例は、前述した構成から、特別大掛かりな装置ではなく、最小限の材料で良く、しかも、接地体２がアングル材を用いた構成であるから施工性が良好なのは勿論、製造性、コスト性にも秀れることになる。
【００７４】
尚、本発明は、本実施例に限られるものではなく、各構成要件の具体的構成は適宜設計し得るものである。
【図面の簡単な説明】
【００７５】
【図１】本実施例の使用状態説明図である。
【図２】本実施例の使用状態説明図である。
【図３】本実施例の使用状態説明図である。
【図４】本実施例に係る要部の説明図である。
【図５】本実施例の使用状態説明図である。
【図６】本実施例に係る要部の動作説明図である。
【図７】別実施例に係る要部の説明図である。
【符号の説明】
【００７６】
１  立設設置体
１Ａ  雪庇防止体
２  接地体
３  重し体
３ａ  下方載置部
４  後方突出材
５  連結材
７  移動部
９  支持部
10  建築物上面部
10Ａ  左部位
10Ｂ  右部位
11  係合部
【図１】
2009133160.tif 000003
【図２】
2009133160.tif 000004
【図３】
2009133160.tif 000005
【図４】
2009133160.tif 000006
【図５】
2009133160.tif 000007
【図６】
2009133160.tif 000008
【図７】
2009133160.tif 000009